(57)【要約】【課題】パレットに物品を積載し、輸送する方法において、容易に入手できる安価な一般の既存汎用パレットを利用し、輸送する物品への衝撃、振動を緩和する方法を提供する。【解決手段】一般の既存汎用パレット上面に、上板と下板及び該上板と該下板の間に制振材料を配置して形成した軽量で簡単に着脱できる制振パネルを配設し、該制振パネルの上面に物品を積載し輸送できるようにすることによって達成される。また、一般の既存汎用パレット下面に、上板と下板及び該上板と該下板の間に制振材料を配置して形成した軽量で簡単に着脱できる制振パネルを、上板を下側にして配設し、この上に物品を積載したパレットを載せることによっても達成される。【選択図】 図１
2007091308.tif 000002
【特許請求の範囲】
【請求項１】
パレットに物品を積載し、輸送する方法において、パレットの上面に、衝撃、振動を緩和する機能を有する制振パネルを配設し、該制振パネルの上面に輸送物品を積載し、輸送することを特徴とする制振パネルを利用したパレット輸送方法。
【請求項２】
パレットに物品を積載し、輸送する方法において、パレットの下面に、衝撃、振動を緩和する機能を有する制振パネルを配設し、パレットの上面に輸送物品を積載し、輸送することを特徴とする制振パネルを利用したパレット輸送方法。
【請求項３】
請求項１乃至２の制振パネルを利用したパレット輸送方法において、制振パネルを、下板と、上板と、上板と下板の間に衝撃、振動を緩和する制振材料を配設して構成したことを特徴とする制振パネルを利用したパレット輸送方法。
【請求項４】
請求項１乃至請求項３の制振パネルを利用したパレット輸送方法において、制振パネルの四隅に脚を配設し、該脚がパレットの四隅の側面に勘合するようにしたことを特徴とする制振パネルを利用したパレット輸送方法。
【請求項５】
請求項１乃至請求項４の制振パネルを利用したパレット輸送方法において、下板の外周に底面とつながり上方に伸展した側面を成形し、該下板の側面で囲まれた内側に、上板と、上板と下板の間で衝撃および振動を緩和する制振材料を配設したことを特徴とする制振パネルを利用したパレット輸送方法。
【発明の詳細な説明】
【技術分野】
【０００１】
本発明は、パレットに物品を積載し、輸送する方法において、該輸送物品への衝撃、振動を緩和させて輸送する方法に関するものである。
【背景技術】
【０００２】
従来のパレットに物品を積載し、輸送時の物品への衝撃、振動を緩和させる方法としては、例えば特開２００５−１４７２７７号の防振パレット、特開２００１−２８０４１９の防振パレット及び実開平５−４４８２５号の防振パレット等がある。
【０００３】
このうち特開２００５−１４７２７７号及び特開２００１−２８０４１９は、パレット自体の脚部に弾性体を配置して防振機能を持たせたもので、パレットとしての必要な剛性の確保と共に、作業性の観点からフォークリフトのフォークの挿入空間を確保する等、ＪＩＳ等の規格で決められた寸法を確保するように配慮されている。
【０００４】
一方、実開平５−４４８２５号は、パレットの上面にスポンジゴムシートの緩衝シートを介してゴムシートを貼り付け、防振効果の向上を図っている。
【特許文献１】特開２００５−１４７２７７号、特開２００１−２８０４１９、実開平５−４４８２５号
【非特許文献１】なし
【発明の開示】
【発明が解決しようとする課題】
【０００５】
従来の防振パレットは、パレットとしての必要な剛性の確保、作業性の観点からフォークリフトのフォークの挿入空間を確保する等、ＪＩＳ等の規格で決められた寸法を確保するように配慮すると共に、パレット自体の脚部に弾性体を配置して防振機能を持たせており、一般の汎用パレットと比較してパレット自体が複雑となり、このため高価になっていた。また、パレットは荷役作業、運搬等で脚部を中心に傷つき、破損しやすく、このため使用不能となった場合には、破損個所及び其の破損内容にもよるが、一般的に全体を新規に製作する必要がある等の問題が発生していた。また、パレットの上面にスポンジゴムシートの緩衝シートを介してゴムシートを貼り付けて防振効果の向上を図る構造では、ゴムシート面に直接物品を積載することになるため、ゴムシート等が損傷し易く、また緩衝シート及びゴムシートのバネ定数並びに耐荷重の観点から積載する物品の重量を配慮する必要がある等の課題が発生していた。
【０００６】
本発明の目的は、パレットに物品を積載し、輸送する方法において、容易に入手できる安価な既存の汎用パレットと制振パネルを組合わせ、物品への衝撃、振動を緩和させて輸送を行えるようにすることである。
【課題を解決するための手段】
【０００７】
上記の目的は、一般の既存汎用パレットに物品を積載し、輸送する方法において、汎用パレットの上面に、上板と下板及び該上板と該下板の間に制振材料を配置して形成した軽量で簡単に着脱できる制振パネルを配設し、該制振パネルの上面に物品を積載し輸送できるようにすることによって達成される。また、該制振パネルを一般の既存汎用パレットの下面に配設することによっても達成される。
【発明の効果】
【０００８】
上記構造の軽量で簡単に着脱可能な制振パネルを汎用パレット上面に配設し、該制振パネルの上面に物品を積載し輸送することにより、パレットに作用する衝撃、振動に対して、上板と下板の間に配設した制振材料が緩衝材となり、衝撃、振動を和らげて輸送できるようになる。また、構造が簡単で軽量部材で形成できるため、全体が軽量となり、該制振パネルは人手により既存の一般汎用パレットの上面或いは下面への着脱が自由にできる。荷役作業等においてパレットが損傷した場合においても、パレットのみを交換し、該制振パネルを継続して使用できる。このため、パレット自体に特別な振動、衝撃緩和機能を付与する方法と比較して安価になる。また、制振パネルの上面或いはパレット面に輸送する物品を積載するため、制振材料は直接に制振材料の上に積載する方法と比較して損傷しにくくなり、耐久性が向上する。該制振パネルが不要の場合は、該制振パネルのみを保管すればよく、特別な振動、衝撃緩和機能付きパレットと比較して、保管が容易となる。
【発明を実施するための最良の形態】
【０００９】
以下、本発明の実施形態を図面に基づいて詳細に説明する。
【実施例１】
【００１０】
本発明の一実施例を図１乃至図４により説明する。図１は本発明の制振パネルを上から見た斜視図、図２は図１のａ−ａから見た側面図、図３は図１のｂ−ｂ視断面図、図４は制振パネルを構成する主要部品を分解した斜視図である。
【００１１】
図１乃至図４において、１は制振パネルの本体であり、ベニヤ板で製作した上板２、アルミニウム合金或いはステンレス製の板材を四辺で折り曲げて側面３ａを成形、製作した下板３と、上板２と下板３の間の平面部に制振材料４を配設、下板３の側面部３aと上板２の側面部２aの間に水平方向制振部材５を配設、下板３の四隅部分にＬ形に製作した脚６のフランジ面６ａを合わせ、溶接で取付けて構成する。
【００１２】
制振パネル１は、既存の一般汎用パレット７の上面７aに、四隅に配設され脚６が汎用パレット７の四隅７bに勘合するように配設する。物品８は、制振パネル１の上板２の上に順次積載する。
【００１３】
本実施例によれば、物品は制振パネル１の上面に積載し輸送することになり、パレット７に作用する衝撃、振動に対して、制振パネル１の上板２と下板３の間に配設した制振材料４が垂直方向の荷重に対する緩衝材となり、水平方向の荷重に対しては下板３の側面部３aと上板２の側面部２aとの間に配設した制振部材５が緩衝材となり、それぞれ垂直及び水平方向の衝撃、振動を緩和することができる。また、本実施例では、工場の出荷場から輸送手段となるコンテナ或いはトラックまでの移動を例えばフォークリフトで行う場合、パレットが損傷することがあっても、一般汎用パレット７を新規に交換し、その上に本実施例の制振パネル１を置換するするのみで、パレットが損傷する前の状態に容易に復帰ことができる。このため、制振機能が一体となった防振パレットと比較して、安価に、迅速に制振機能を有するパレット輸送方法を確保することができる。また、制振材料４は上板２と下板３の間に配設され、物品との直接の接触がないことから、外部力による損傷を回避でき耐久性が向上する。尚、制振パネルが不要の場合は、該制振パネルのみを保管すればよく、従来の制振機能が一体となった防振パレットと比較して、保管が容易となる。
【実施例２】
【００１４】
次に図５乃至図７により、本発明の第２の実施例を説明する。図５は第２実施例の制振パネルを上から見た斜視図、図６は図５をｃ−ｃから見た側面図，図７は図５のｄ−ｄ視断面図である。
【００１５】
図において、制振パネル９は上記の実施例と同一構成であるが、第２実施例では、第１実施例に対して制振パネル９を上下で逆転させ、上板１０を最下面側に位置させ、その上に制振材料１１、更に制振材料１１の上に下板１２が位置するようにし、所定の位置、例えばコンテナ内或いはトラックの荷台に配置する。ここで、下板１２の四隅に配置した脚１３は、上方に突起させた状態となるようにする。一方、輸送する物品８は、一般汎用パレット７の上面７aに積載し、荷役機械例えばフォークリフトでパレットを持ち上げ、移動し、一般汎用パレット７の四隅７ｂが、第２実施例の制振パネル９の四隅に配置した断面がＬ形の脚１３内に勘合するようにして積載する。
【００１６】
第２実施例によれば、従来と同一方法で物品８をパレット７に積載し、最後に制振パネル９上に載せるだけで、第1実施例と同様の機能、効果を得ることができる。
【産業上の利用可能性】
【００１７】
以上述べたように、第１実施例によれば、物品８は制振パネル１の上面に積載し輸送することになり、パレット７に作用する衝撃、振動に対して、制振パネル１の上板２と下板３の間に配設した制振材料４が垂直方向の荷重に対する緩衝材、水平方向の荷重に対しては下板３の側面部３aと上板２の側面部２aとの間に配設した制振部材５が緩衝材となり、それぞれ垂直及び水平方向の衝撃、振動を緩和することができる。また、荷役作業でパレット７が損傷することがあっても、一般汎用パレット７を新規に交換し、その上に本実施例の制振パネル１を置換するのみで、パレット７が損傷する前の状態に容易に復帰することができる。このため、制振機能が一体となった防振パレットと比較して、安価に、迅速に制振機能を有するパレット輸送方法を確保することができる。また、第２実施例によれば、従来と同一方法で物品８をパレット７に積載し、最後に制振パネル９上に載せるだけで、第1実施例と同様の機能、効果を得ることができる。
【図面の簡単な説明】
【００１８】
【図１】本発明の第1実施例で、制振パネルを利用したパレット輸送方法の斜視図である。
【図２】図１において、ａ−ａから見た側面図である。
【図３】図１のｂ−ｂ視断面図である。
【図４】図１の制振パネルを構成する主要部品を分解した斜視図である。
【図５】本発明による第２実施例で、制振パネルを利用したパレット輸送方法の斜視図である。
【図６】図５において、ｃ−ｃから見た側面図である。
【図７】図５のｄ−ｄ視断面図である。
【符号の説明】
【００１９】
１    制振パネル
２    上板
２ａ  上板側面部
３    下板
３ａ  下板側面部
４    制振材料
５    制振部材
６    脚
６ａ  Ｌ形脚のフランジ部
７    パレット
７ａ  パレット上面
７ｂ  パレット側面
８    物品
９    制振パネル
１０  上板
１１  制振材料
１２  下板
１３  脚
【図１】
2007091308.tif 000003
【図２】
2007091308.tif 000004
【図３】
2007091308.tif 000005
【図４】
2007091308.tif 000006
【図５】
2007091308.tif 000007
【図６】
2007091308.tif 000008
【図７】
2007091308.tif 000009